【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
履物物品の底部分の表面上に特徴を付与する方法であって、
前記底部分の前記表面近傍にレーザを位置決めするステップと、
前記レーザから前記底部分の前記表面にレーザビームを誘導し、前記底部分の前記表面の少なくとも一部分にマーキングする又はエングレービングするステップと、
前記レーザ及び前記底部分の少なくとも１つを移動し、前記底部分の前記表面上に一連の分布した構造的特徴を含むパターンを作成するステップであって、前記パターンは、前記底部分の前記表面上に審美的特徴及び構造的特徴の少なくとも１つを付与し、
前記パターンは、前記底部分の第１の表面部分にわたって延在する第１の領域と、前記底部分の第２の表面部分にわたって延在する第２の領域とを含み、前記第１の領域と前記第２の領域との間で、前記構造的特徴の断面形状、方向、深さ及び密度の少なくとも１つが異なる、ステップと、
を含む、方法。
【請求項２】
前記底部分の前記表面は前記履物物品のミッドソールの側壁を含む、請求項１に記載の方法。
【請求項３】
前記レーザは、ＵＶレーザ及びＣＯ２レーザの少なくとも１つを含む、請求項１に記載の方法。
【請求項４】
前記底部分の前記表面にマーキングするステップは、前記底部分の前記表面上に前記審美的特徴を付与するために、前記底部分の前記表面の少なくとも一部分の色を、前記底部分の前記表面から材料を除去することなく変化させるステップを含む、請求項１に記載の方法。
【請求項５】
前記底部分は、前記レーザに暴露したときに前記底部分の前記表面の所望の外部色を実現するために、エネルギー吸収性色感応添加物及び着色剤の少なくとも１つを含む、請求項４に記載の方法。
【請求項６】
前記レーザの駆動前に前記底部分の前記表面の少なくとも一部分にマスキング媒体を塗布するステップと、
前記マスキング媒体を通して前記底部分の前記表面にマーキングする又はエングレービングするステップと、
前記マスキング媒体を除去するステップと、
を更に含む、請求項１に記載の方法。
【請求項７】
前記レーザの駆動前に前記底部分の前記表面に流体を塗布するステップを更に含み、前記流体は、前記底部分の前記表面の前記マーキング又はエングレービングを補助するように機能する、請求項１に記載の方法。
【請求項８】
マーキング又はエングレービング中、マーキング又はエングレービングされた前記表面に流体の塗布を繰り返すステップを更に含む、請求項７に記載の方法。
【請求項９】
前記流体は、添加物、界面活性剤及び水の少なくとも１つを含む水溶液である、請求項７に記載の方法。
【請求項１０】
前記底部分は、単一の一体材料を含み、前記底部分の前記表面にエングレービングするステップは、前記底部分の前記表面上に前記審美的特徴及び前記構造的特徴の少なくとも１つを提供するために、前記底部分の前記表面から１つ以上の既定の深さまで材料を除去するステップを含む、請求項１に記載の方法。
【請求項１１】
前記既定の深さは約０ｍｍ〜約１５ｍｍである、請求項１０に記載の方法。
【請求項１２】
前記パターンは、前記第１の領域と前記第２の領域との間に移行領域を更に含み、ここで、前記移行領域内で、前記構造的特徴の断面形状、方向、深さ及び密度の少なくとも１つが漸進的に変化する、請求項１に記載の方法。
【請求項１３】
前記エングレービング後の底部分にプライマーを施すステップと、
前記プライマーを施した底部分を乾燥するステップと、
前記プライマーを施した底部分を硬化するステップと、
少なくとも１つのエングレービング済み部分に着色剤を塗布するステップと、
前記底部分上の前記着色剤を乾燥するために熱を印加するステップと、
を更に含む、請求項１０に記載の方法。
【請求項１４】
前記底部分の前記表面から残留物を除去するステップを更に含み、残留物を除去するステップは、
前記底部分からエングレービング中に生じた残留物を水溶液で洗浄するステップと、
前記底部分の前記表面を乾燥するステップと、
を含む、請求項１に記載の方法。
【請求項１５】
履物物品の底部分の表面上に審美的特徴を作成する方法であって、
前記底部分の前記表面近傍にＵＶレーザを位置決めするステップと、
前記レーザから前記底部分の前記表面にレーザビームを誘導し、前記底部分の前記表面の少なくとも一部分の色を、前記底部分の前記表面から材料を除去することなく変化させるステップと、
前記レーザ及び前記底部分の少なくとも１つを移動し、前記底部分の前記表面上に一連の分布した構造的特徴を含むパターンを作成するステップであって、前記パターンは、前記底部分の前記表面上に審美的特徴を付与し、ここで、（ｉ）前記分布した構造的特徴は、離散的な接続されていない多面体要素及び接続された多面体要素の結合されたグリッドの少なくとも１つを含み、（ｉｉ）前記パターンは、前記底部分の第１の表面部分にわたって延在する第１の領域と、前記底部分の第２の表面部分にわたって延在する第２の領域とを含み、そして（ｉｉｉ）前記第１の領域と前記第２の領域との間で、前記構造的特徴の断面形状、方向、深さ及び密度の少なくとも１つが異なる、ステップと、
を含む、方法。
【請求項１６】
履物物品の底部分の表面上に審美的特徴又は構造的特徴を付与する方法であって、
前記底部分の前記表面にマスキング媒体を塗布するステップと、
前記底部分の前記表面近傍にレーザを位置決めするステップと、
前記レーザから前記底部分の前記表面にレーザビームを誘導し、前記底部分の前記表面から材料及びマスキング媒体を除去し、前記底部分の前記表面の少なくとも一部分に一連の分布した構造的特徴を含むパターンを付与する、ステップであって、ここで、（ｉ）前記分布した構造的特徴は、離散的な接続されていない多面体要素及び接続された多面体要素の結合されたグリッドの少なくとも１つを含み、（ｉｉ）前記パターンは、前記底部分の第１の表面部分にわたって延在する第１の領域と、前記底部分の第２の表面部分にわたって延在する第２の領域とを含み、そして（ｉｉｉ）前記第１の領域と前記第２の領域との間で、前記構造的特徴の断面形状、方向、深さ及び密度の少なくとも１つが異なる、ステップと、
前記マスキング媒体を除去するステップと、
を含む、方法。
【請求項１７】
前記マスキング媒体を除去するステップの前に前記底部分の前記表面に少なくとも１つの色を塗布するステップを更に含む、請求項１６に記載の方法。
【請求項１８】
少なくとも１つの色を塗布するステップは、
前記底部分をプライマー溶液中に浸漬して前記底部分の前記表面のマスクされていない部分にプライマーを施すステップと、
前記プライマーを施した底部分を乾燥するステップと、
前記プライマーを施した底部分を硬化するステップと、
前記底部分の前記表面の前記マスクされていない部分の少なくとも一部分に着色剤を塗布するステップと、
前記底部分上の前記着色剤を乾燥するステップと、
を含む、請求項１７に記載の方法。
【請求項１９】
前記プライマー溶液は紫外線プライマーを含む、請求項１８に記載の方法。
【請求項２０】
前記分布した構造的特徴が、離散的な接続されていない多面体要素を含む、請求項１に記載の方法。
【請求項２１】
前記分布した構造的特徴が、接続された多面体要素の結合されたグリッドを含む、請求項１に記載の方法。
【請求項２２】
前記分布した構造的特徴が、六角形を含む、請求項１に記載の方法。
【手続補正２】
【補正対象書類名】明細書
【補正対象項目名】００８５
【補正方法】変更
【補正の内容】
【００８５】
本発明は、その趣旨又は必須の特徴から逸脱することなく、他の特定形態において具現化してもよい。前述の実施形態は、したがって、あらゆる点において、本明細書中に記載される本発明を限定するよりもむしろ例証するものとみなされる。本発明の範囲は、したがって、前述の明細書よりもむしろ添付の特許請求の範囲によって示され、特許請求の範囲と等価の意味及び範囲内のあらゆる変更は本発明に包含されるものとする。
本発明の実施形態の一部の例として、以下の項目が挙げられる。
（項目１）
物体の表面上に特徴を付与する方法であって、
前記物体の前記表面近傍にレーザを位置決めするステップと、
前記レーザから前記物体の前記表面にレーザビームを誘導し、前記物体の前記表面の少なくとも一部分にマーキングする又はエングレービングするステップと、
前記レーザ及び前記物体の少なくとも１つを移動し、前記物体の前記表面上にパターンを作成するステップであって、前記パターンは、前記物体の前記表面上に審美的特徴及び構造的特徴の少なくとも１つを付与する、ステップと、
を含む、方法。
（項目２）
前記物体は、履物物品のアウトソール、ミッドソール、インソール及びアッパーの少なくとも１つを含む、項目１に記載の方法。
（項目３）
前記物体の前記表面は前記ミッドソールの側壁を含む、項目２に記載の方法。
（項目４）
前記レーザは、ＵＶレーザ及びＣＯ２レーザの少なくとも１つを含む、項目１に記載の方法。
（項目５）
前記物体の前記表面にマーキングするステップは、前記物体の前記表面上に前記審美的特徴を付与するために、前記物体の前記表面の少なくとも一部分の色を、前記物体の前記表面から材料を除去することなく変化させるステップを含む、項目１に記載の方法。
（項目６）
前記物体は、前記レーザに暴露したときに前記物体の前記表面の所望の外部色を実現するために、エネルギー吸収性色感応添加物及び着色剤の少なくとも１つを含む、項目５に記載の方法。
（項目７）
前記レーザの駆動前に前記物体の前記表面の少なくとも一部分にマスキング媒体を塗布するステップと、
前記マスキング媒体を通して前記物体の前記表面にマーキングする又はエングレービングするステップと、
前記マスキング媒体を除去するステップと、
を更に含む、項目１に記載の方法。
（項目８）
前記レーザの駆動前に前記物体の前記表面に流体を塗布するステップを更に含み、前記流体は、前記物体の前記表面の前記マーキング又はエングレービングを補助するように機能する、項目１に記載の方法。
（項目９）
マーキング又はエングレービング中、マーキング又はエングレービングされた前記表面に流体の塗布を繰り返すステップを更に含む、項目８に記載の方法。
（項目１０）
前記流体は、添加物を含む水溶液である、項目８に記載の方法。
（項目１１）
前記添加物は、界面活性剤を含む、項目１０に記載の方法。
（項目１２）
前記水溶液は水を含む、項目１０に記載の方法。
（項目１３）
前記物体の前記表面にエングレービングするステップは、前記物体の前記表面上に前記審美的特徴及び前記構造的特徴の少なくとも１つを提供するために、前記物体の前記表面から１つ以上の既定の深さまで材料を除去するステップを含む、項目１に記載の方法。
（項目１４）
前記既定の深さは約０ｍｍ〜約１５ｍｍである、項目１３に記載の方法。
（項目１５）
前記構造的特徴は、第１の深さを有する第１の領域と、第２の深さを有する第２の領域と、を含む、項目１３に記載の方法。
（項目１６）
前記構造的特徴は、前記深さが前記第１の深さから前記第２の深さに変化する移行領域を更に含む、項目１５に記載の方法。
（項目１７）
前記移行領域は深さの急激な変化を含む、項目１６に記載の方法。
（項目１８）
前記移行領域は深さの漸進的な変化を含む、項目１６に記載の方法。
（項目２０）
前記構造的特徴は、連続的に変化する深さを有する造形表面を含む、項目１３に記載の方法。
（項目２１）
前記エングレービング後の物体にプライマーを施すステップと、
前記プライマーを施した物体を乾燥するステップと、
前記プライマーを施した物体を硬化するステップと、
少なくとも１つのエングレービング済み部分に着色剤を塗布するステップと、
前記物体上の前記着色剤を乾燥するために熱を印加するステップと、
を更に含む、項目１３に記載の方法。
（項目２２）
前記物体の前記表面から残留物を除去するステップを更に含む、項目１に記載の方法。
（項目２３）
残留物を除去するステップは、
前記物体のエングレービング中に生じた残留物を洗浄するステップと、
前記物体の前記表面を乾燥するステップと、
を含む、項目２２に記載の方法。
（項目２４）
前記洗浄するステップは水を使用する、項目２３に記載の方法。
（項目２５）
物体の表面上に審美的特徴を作成する方法であって、
前記物体の前記表面近傍にＵＶレーザを位置決めするステップと、
前記レーザから前記物体の前記表面にレーザビームを誘導し、前記物体の前記表面の少なくとも一部分の色を、前記物体の前記表面から材料を除去することなく変化させるステップと、
前記レーザ及び前記物体の少なくとも１つを移動し、前記物体の前記表面上にパターンを作成するステップであって、前記パターンは、前記物体の前記表面上に審美的特徴を付与し、前記物体は、履物物品のアウトソール、ミッドソール、インソール及びアッパーの少なくとも１つを含む、ステップと、
を含む、方法。
（項目２６）
物体の表面上に審美的特徴又は構造的特徴を付与する方法であって、
前記物体の前記表面にマスキング媒体を塗布するステップであって、前記物体は、履物物品のアウトソール、ミッドソール、インソール及びアッパーの少なくとも１つを含む、ステップと、
前記物体の前記表面近傍にレーザを位置決めするステップと、
前記レーザから前記物体の前記表面にレーザビームを誘導し、前記物体の前記表面から材料及びマスキング媒体を除去し、前記物体の前記表面の少なくとも一部分に審美的特徴及び構造的特徴の少なくとも１つを付与する、ステップと、
前記マスキング媒体を除去するステップと、
を含む、方法。
（項目２７）
前記マスキング媒体を除去するステップの前に前記物体の前記表面に少なくとも１つの色を塗布するステップを更に含む、項目２６に記載の方法。
（項目２８）
少なくとも１つの色を塗布するステップは、
前記物体をプライマー溶液中に浸漬して前記物体の前記表面のマスクされていない部分にプライマーを施すステップと、
前記プライマーを施した物体を乾燥するステップと、
前記プライマーを施した物体を硬化するステップと、
前記物体の前記表面の前記マスクされていない部分の少なくとも一部分に着色剤を塗布するステップと、
前記物体上の前記着色剤を乾燥するステップと、
を含む、項目２７に記載の方法。
（項目２９）
前記プライマー溶液は紫外線プライマーを含む、項目２８に記載の方法。
（項目３０）
項目１に記載の方法により製造される履物物品。
（項目３１）
項目１に記載の方法により製造される衣料物品。
（項目３２）
項目１に記載の方法により製造される保護具物品。
（項目３３）
項目２５に記載の方法により製造される履物物品。
（項目３４）
項目２６に記載の方法により製造される履物物品。